(57)【要約】【課題】従来の枕又は枕カバーは子供にとって面白みがなく退屈であり、快適な眠りにつけず、親子の使用の際には、子供をあやしたり、安心感を与えたりできなかった。ぬいぐるみを枕代わりに用いた場合は、枕として使用するには不向きであり、枕とぬいぐるみを個別とする構成では、場所をとり、持ち運び、収容等の際に不便であること、紛失の虞があること、等の課題がある。【構成】少なくとも一端にクッション性のぬいぐるみを設けた枕カバー部に、開閉口及び止め具を設ける構成であって、開閉口を利用して枕カバー部に、枕素材を挿入し、枕カバー部を枕として使用可能にするとともに、ぬいぐるみを通常のぬいぐるみとして使用可能としたぬいぐるみ付き枕カバーである。子供にとって面白みがあり快適に睡眠ができること、親子が一緒になって楽しめ、子供に安心感を与えること、携帯、持ち運び、収容等に便利であること、ぬいぐるみを枕カバーに収容でき、旅行等の際にも役立つこと、等の特徴がある。【選択図】    図１
2004305418.tif 000002
【特許請求の範囲】
【請求項１】
少なくとも一端にクッション性でなるぬいぐるみを設けてなる枕カバー部に、開閉口と、この開閉口を閉じる止め具とを設ける構成であって、
この開閉口を利用して枕カバー部に、枕素材を挿入し、この枕カバー部を枕として使用可能にするとともに、前記ぬいぐるみを通常のぬいぐるみとして使用可能としたことを特徴とするぬいぐるみ付き枕カバー。
【請求項２】
少なくとも一端にクッション性でなるぬいぐるみを設けてなる枕カバー部に、開閉口と、この開閉口を閉じる止め具とを設ける構成であって、
この開閉口を利用して枕カバー部に、枕素材を挿入し、この枕カバー部を枕として使用可能にするとともに、前記ぬいぐるみを通常のぬいぐるみとして使用可能とし、また前記枕に対して前記ぬいぐるみを小さくしたことを特徴とするぬいぐるみ付き枕カバー。
【請求項３】
請求項１又は請求項２に記載の枕カバー部は、ぬいぐるみの一部を利用して形成したことを特徴としたぬいぐるみ付き枕カバー。
【請求項４】
請求項１又は請求項２に記載のぬいぐるみを、動物のぬいぐるみとしたことを特徴としたぬいぐるみ付き枕カバー。
【請求項５】
請求項３に記載の枕カバー部の一部に、クッション性の膨出部を形成したことを特徴としたぬいぐるみ付き枕カバー。
【発明の詳細な説明】
【０００１】
【産業上の利用分野】
本発明は、ぬいぐるみ付き枕カバーに関する。
【０００２】
【従来の技術】
従来、この種の枕カバーには、その内部にクッション性を備えたスポンジ素材、又は綿素材等の枕素材を充填することで、枕の外郭体（外側）となる構成である。またぬいぐるみカバーも、その内部にクッション性を備えたスポンジ素材、又は綿素材等のぬいぐるみ素材を充填することで、ぬいぐるみの外郭体となる構成である。
【０００３】
そして、この枕カバーは、枕の形状となり、通常は、略長方形である。この枕カ  バーの形状では、単に枕として使用する本来の構造に留まるので、次のような問題がある。（１）枕の使用者が、子供、又は乳幼児等の子供の場合には、この単純な形状では、子供が興味を示さないこと、枕の使用を拒むことがある。また枕をぬいぐるみとして使用することは不可能である。（２）子供にとって面白みがなく、退屈であること、又は快適な眠りに誘うには有効でない。（３）親子がともに使用するには、狭いことと、親が子供をあやすには、効果的でないこと、又は子供の情操教育には、不向きであること、また子供に安心感を与えるに十分でないこと等がある。また（４）親子が共に楽しむことができないことが考えられる。
【０００４】
尚、子供、大人等を対象としたぬいぐるみ枕、あやし枕等のような枕カバーも存在する。しかし、この種の枕カバーは、枕としての本来の使用と、ぬいぐるみとしての使用とに留まる。従って、例えば、使用時に同時に楽しみ、また活用するには、利用できないこと、又は前述の（１）〜（４）と同様な問題点を抱える。例えば、従来のぬいぐるみ枕等は、就寝時に枕に頭を乗せてしまうと、めいぐるみとして、見たり、手を触れたりすることはできない。それが故に、一方的な利用になるので、例えば、本発明が意図する枕（枕カバー）を、枕としての本来の使用と、ぬいぐるみとしての使用との双方を満足するには問題がある。
【０００５】
また枕カバーは、前述の如く、枕素材を充填した場合には枕を構成するが、この枕素材を取出して、空にした使用は、原則としてあり得ない。従って、従来の構造では、本発明が意図する使用、即ち、枕カバーは、前述の如く、枕素材を充填した場合には枕を構成するが、この枕素材を取出して、空にした使用の特徴である枕カバー部を展開してぬいぐるみを収容することはできないこと、このぬいぐるみの汚れ防止、また収容（収納）の容易化、又は持ち運び、携帯等の容易化等は図れない。
【０００６】
さらに枕カバーとめいぐるみとが個別の例では、収容に場所をとること、持ち運び、収容等の際に不便であること、この持ち運び、収容等の際に紛失する虞があること、等の課題が考えられる。
【０００７】
そして、これに関する技術としては、例えば下記の先行文献があるので、その内容を説明する。
【０００８】
文献（１）は特開平１０−３２３２６６号のぬいぐるみへの脱着機能を有した枕カバー並びに額冷却具用カバーであり、連結帯の一端にぬいぐるみの足又はぬいぐるみの手に装着するための固定帯を組付けた固定具二対をカバー本体に取付けた構成である。
【０００９】
文献（２）は特開２０００−２３５０８６の枕であり、実在或いは架空の動物等の形態を模して形成されたぬいぐるみの枕の所定位置にアラーム手段を設けた構成である。
【００１０】
文献（３）は実開昭６４−１９３６９号の袋の付いた枕カバーであり、カバーの表面に袋の一辺のみが枕カバーと縫い合わされている構成である。
【００１１】
文献（４）は実用新案登録第３０６７２０９号の枕カバー兼バッグであり、枕カバー本体の側内に枕用中綿材を配するとともに、枕カバー本体に巾着紐を設けて、バッグとして使用することができる構成である。
【００１２】
【発明が解決しようとする課題】
上述したように、従来の枕カバーとぬいぐるみの個別構成では、子供及び／又は大人等にとって面白みがなく退屈であり、快適な眠りにつけず、また親子の使用の際には、子供をあやしたり、安心感を与えたりできなかったこと、また前述の問題点を有すること、又はぬいぐるみを枕代わりに用いた場合は、枕としての使用に留まり、ぬいぐるみの特徴が発揮できないこと、等の課題がある。また枕カ  バーとぬいぐるみとが個別の例では、収容に場所をとること、又は持ち運び、収容等の際に不便であること、紛失の虞があること、等の課題がある。
【００１３】
また文献（１）は固定帯を有するカバー本体をぬいぐるみの足又は手に取付ける構成である。従って、カバー本体とぬいぐるみとは完全に別個のものとなっており、取付けできるぬいぐるみの種類、寸法等が限定されること、カバー本体内にぬいぐるみを収容できる構成になっておらず、持ち運び、収容等の際に不便であること、紛失の虞があること、等の課題がある。そして、この文献（１）は、本発明が意図する枕（枕カバー）を、枕としての本来の使用と、ぬいぐるみとしての使用との双方を満足することは不可能である。
【００１４】
また文献（２）はぬいぐるみの胴体部を枕として使用する構成であるが、この枕は、枕カバー内に枕素材を充填した構成であり、枕カバーを他の目的に使用するとは考えられない。従って、本発明が意図することは不可能である。
【００１５】
更に文献（３）及び文献（４）は、枕カバーの中に他の物体を収容することが可能な構成となっているが、何れもカバー本体と収容物とは完全に別個のものとなっており、本発明が意図することは不可能である。
【００１６】
【課題を解決するための手段】
請求項１の発明は、枕カバーにぬいぐるみを一体化させる（枕（枕カバー）を、枕としての本来の使用と、ぬいぐるみとしての使用との双方を満足する）  ことによって、特に子供にとって面白みがあり、快適な睡眠を満喫すること、親と子供が一緒になって楽しむことと、添い寝による子供への安心感を与えること、又は枕カバーへのぬいぐるみの収容を図ることで、例えば、収容、携帯等の際に場所をとらないこと、又は持ち運び、収容等に便利であること、ぬいぐるみを枕カバーに収容し、ぬいぐるみの汚れ防止を図ること、又は携帯、旅行等の際に役立てること、等を意図する。
【００１７】
請求項１は、少なくとも一端にクッション性でなるぬいぐるみを設けてなる枕カバー部に、開閉口と、この開閉口を閉じる止め具とを設ける構成であって、
この開閉口を利用して枕カバー部に、枕素材を挿入し、この枕カバー部を枕として使用可能にするとともに、前記ぬいぐるみを通常のぬいぐるみとして使用可能としたことを特徴とするぬいぐるみ付き枕カバーである。
【００１８】
請求項２の発明は、請求項１の目的を達成すること、及びぬいぐるみの枕カバー部への収容を容易にして、スムーズな収容を図ること、等を意図する。
【００１９】
請求項２は、少なくとも一端にクッション性でなるぬいぐるみを設けてなる枕カバー部に、開閉口と、この開閉口を閉じる止め具とを設ける構成であって、
この開閉口を利用して枕カバー部に、枕素材を挿入し、この枕カバー部を枕として使用可能にするとともに、前記ぬいぐるみを通常のぬいぐるみとして使用可能とし、また前記枕に対して前記ぬいぐるみを小さくしたことを特徴とするぬいぐるみ付き枕カバーである。
【００２０】
請求項３の発明は、枕カバー部とぬいぐるみを一体化し、子供が喜ぶぬいぐるみ付き枕カバーとすること、ぬいぐるみとの一体感を達成して、ぬいぐるみと一緒に眠っているような感覚を味わうこと、等を意図する。
【００２１】
請求項３は、請求項１又は請求項２に記載の枕カバー部は、ぬいぐるみの一部を利用して形成したことを特徴としたぬいぐるみ付き枕カバーである。
【００２２】
請求項４の発明は、子供が喜ぶぬいぐるみ付き枕カバーとすること、親子の使用の際には、子供のあやしものとして利用すること、又は安心感を与えること、等を意図する。
【００２３】
請求項４は、請求項１又は請求項２に記載のぬいぐるみを、動物のぬいぐるみとしたことを特徴としたぬいぐるみ付き枕カバーである。
【００２４】
請求項５の発明は、枕としての機能を十分に達成し、快適な睡眠を達成すること、等を意図する。
【００２５】
請求項５は、請求項３に記載の枕カバー部の一部に、クッション性の膨出部を形成したことを特徴としたぬいぐるみ付き枕カバーである。
【００２６】
【発明の実施の形態】
以下、本発明の実施の一例を説明する。
【００２７】
本発明は、枕素材を収容する枕カバー部と、この枕カバー部の少なくとも一端に設けられたクッション性でなるぬいぐるみと、枕カバー部の一部に設けた開閉口と、この開閉口を閉じるジッパー、ボタン、面ファスナー等の止め具と、でなる構成である。そして、使用の際には、前記枕カバー部の開閉口を開き、当該枕カバー部の内部に枕素材を挿入することによって、この枕カバー部を枕として使用可能にする。この枕カバー内に挿入する枕素材の種類、大きさ、数等を変更することで、各人の好む枕となり得る。そして、前記開閉部を利用することにより、枕素材を自由に出し入れでき、枕素材の取り替えも容易にできる。さらに枕カバー内に、低反発枕やパイプ枕等の硬さ、種類等の異なる様々な枕素材を入れることも可能であり、また当該枕素材の重さ、寸法等は自由であり、図示されたものに限定されない。
【００２８】
本発明では、この枕カバー部の一方端又は双方端に、ぬいぐるみを一体化させることによって、当該ぬいぐるみを通常のぬいぐるみとして使用可能にする。本発明では、ぬいぐるみを、好きな種類の動物の形をとることができ、各人（例えば、就寝者、使用者、介護者、親、子供等の人）の好みに応じて動物を選択できる。またぬいぐるみにクッション性を付与することにより、睡眠中に使用者の頭がぬいぐるみの方にずれたとしても、安定して各人の頭を保持できる。
【００２９】
上記のような構成により本発明は、特に子供にとって面白みがあり、快適な睡眠を約束できるぬいぐるみ付きの枕、又はぬいぐるみ形態の枕（めいぐるみ動物の一部（腕、尻尾、他の部位等）が枕カバー）を提供できる。また親と子供が一緒になって楽しめ、かつ子供に安心感、安らぎ等を与え得る特徴がある。例えば、親が枕を使用している間に、横で子供にぬいぐるみで遊ばせてもよいし、子供が枕を使用している間に、親がぬいぐるみを利用して子供をあやしながら寝かしつけてもよい。
【００３０】
また本発明では、枕とぬいぐるみを一体化した構成であるので、場所をとらず、持ち運び、収容等の際に便利である。更に枕カバー部の開閉口を利用して、空の枕カバー部内にぬいぐるみを収容することによって、枕全体をコンパクトにまとめることができ、旅行、収容等の際に便利である。この収容の容易化を意図するため、前記枕に対して前記ぬいぐるみを小さく構成し、スムーズな収容を図る。
【００３１】
尚、本発明では枕カバー部の両側にぬいぐるみの一部を形成する構成と、枕カバー部の一方側のみにぬいぐるみを形成する構成とが考えられるので、その各例を図４〜図８に基づいて説明する。
【００３２】
図４〜図６は枕カバー部の両側にぬいぐるみの一部を形成する構成であって、動物の腕（手）、胴体部、足、尻尾、他の部位等の途中に枕カバー部を設けた構成である。図４は猫、図５は犬、図６は豚のぬいぐるみとした一例をそれぞれ示す。ここでは、枕カバー部の一端にぬいぐるみの胴体部、他の一端に手又は足の先端部がそれぞれ設けられている。
【００３３】
図７及び図８は枕カバー部の一方側のみにぬいぐるみを形成する構成であって、動物の体の一部を延設して枕カバー部とした構成である。図７はウサギ、図８はイルカのぬいぐるみとした一例をそれぞれ示す。ここでは、枕カバー部の一端にぬいぐるみの胴体部が設けられており、図７ではウサギの耳が枕カバー部に、図８ではイルカのひれが枕カバー部になっている。
【００３４】
尚、ぬいぐるみに使用する動物の種類、大きさ、形状、及び枕カバー部への取付けの形態等は上記の例に限定されず、同様の構成・形態のぬいぐるみ付き枕カバーであれば、本発明の範疇に含まれる。
【００３５】
本発明では、枕カバー部を、ぬいぐるみの一部を利用して形成するので、枕カバー部とぬいぐるみとの一体化が達成できること、また使用者にとって恰もぬいぐるみと一緒に眠っているような感覚を味わえる特徴がある。そして、ぬいぐるみを、動物のぬいぐるみとしたことで、特に子供が喜ぶぬいぐるみ付き枕カバーを提供できこと、子供に夢、安心感、幸福感等を与え得ること、等の実益がある。また枕カバー部の一部に、クッション性の膨出部を形成して、枕等としての利用、快適な睡眠、又は枕からの離脱防止等に役立つ特徴がある。
【００３６】
【実施例】
以下、本発明の一実施例を説明する。
【００３７】
１は枕カバーであり、この枕カバー１は、枕素材２を収容する枕カバー部３と、この枕カ  バー部３の少なくとも一端に設けられたクッション性でなるぬいぐるみ４と、枕カバー部３の一部に設けた枕素材２を出し入れするための開閉口３０と、この開閉口３０を閉じる止め具３１と、でなる構成である。また枕カバー部３を、ぬいぐるみ４の一部を利用して形成した場合は、枕カバー部３の一部に、クッション性の膨出部３２を形成することもある。
【００３８】
当該枕カバー１の形状、寸法、材質等、及び枕素材２の硬さ、種類、重さ、寸法等は自由であり、図示のものに限定されない。また開閉口３０は、図面ではジッパーとなっているが、この例に限定されず、例えばボタン、面ファスナー等の他の手段も考えられる。尚、枕の不使用時には、前記開閉口３０を開き、この開口内にぬいぐるみ４等を収容することによって、枕全体をコンパクトにまとめることが可能な構成とする。
【００３９】
前記ぬいぐるみ４は、図４は猫、図５は犬、図６は豚とした一例をそれぞれ示し、この例では枕カバー部３の両側にぬいぐるみ４の一部を形成する構成を示す。即ち、枕カバー部３の一端にぬいぐるみ４の胴体部４１を、枕カバー２の他の一端にぬいぐるみ４の手４２又は足４３の先端部がそれぞれ設けられている。
【００４０】
また図７はウサギ、図８はイルカのぬいぐるみ４とした一例をそれぞれ示し、この例では枕カバー部３の一方側のみにぬいぐるみ４を形成する構成を示す。即ち、枕カバー部３の一端にぬいぐるみ４の胴体部４１が設けられており、図７ではウサギの耳４４が枕カ  バー部３に、図８ではイルカのひれ４５が枕カバー部３になっている。
【００４１】
図９は枕カバー部３内に、ぬいぐるみ４を収容した状態であり、枕カバー部３を展開（裏返して）して収容した状態であるが、一例である。
【００４２】
また図１０、図１１は使用状態を示しており、図１０は大人一人による使用を、図１１は添い寝の使用の一例を示しており、他の使用例もある。例えば、ぬいぐるみ４を枕として活用すること、又は数人による使用等があり得る。
【００４３】
尚、ぬいぐるみ４は図示に限定されず、図示しないが、他の動物のぬいぐるみ、又は動物以外のぬいぐるみも可能である。またぬいぐるみ４の大きさ、素材、形状、及び枕カバー部３への取付けの形態等は図示に限定されず、同様の構成・形態のぬいぐるみ付き枕カバーであれば、本発明の範疇に含まれる。
【００４４】
【発明の効果】
請求項１の発明は、少なくとも一端にクッション性でなるぬいぐるみを設けてなる枕カバー部に、開閉口と、開閉口を閉じる止め具とを設ける構成であって、開閉口を利用して枕カバー部に、枕素材を挿入し、枕カバー部を枕として使用可能にするとともに、ぬいぐるみを通常のぬいぐるみとして使用可能としたことを特徴とするぬいぐるみ付き枕カバーである。
【００４５】
従って、請求項１は、枕カバーにぬいぐるみを一体化させることによって、特に子供にとって面白みがあり、快適な睡眠を満喫できること、親と子供が一緒になって楽しめることと、添い寝による子供への安心感を与え得ること、又は枕カバーへのぬいぐるみの収容が図れることで、例えば、収容、携帯等の際に場所がとられないこと、又は持ち運び、収容等に便利であること、ぬいぐるみを枕カバーに収容し、ぬいぐるみの汚れ防止が図れること、又は携帯、旅行等の際に役立て得ること、等の特徴がある。
【００４６】
請求項２の発明は、少なくとも一端にクッション性でなるぬいぐるみを設けてなる枕カバー部に、開閉口と、開閉口を閉じる止め具とを設ける構成であって、開閉口を利用して枕カバー部に、枕素材を挿入し、枕カバー部を枕として使用可能にするとともに、ぬいぐるみを通常のぬいぐるみとして使用可能とし、また枕に対してぬいぐるみを小さくしたことを特徴とするぬいぐるみ付き枕カバーである。
【００４７】
従って、請求項２は、請求項１の目的を達成するとともに、ぬいぐるみの枕カバー部への収容を容易にして、スムーズな収容を図れる特徴がある。
【００４８】
請求項３の発明は、請求項１又は請求項２に記載の枕カバー部は、ぬいぐるみの一部を利用して形成したことを特徴としたぬいぐるみ付き枕カバーである。
【００４９】
従って、請求項３は、枕カバー部とぬいぐるみを一体化し、子供が喜ぶぬいぐるみ付き枕カバーにできること、ぬいぐるみとの一体感を達成して、ぬいぐるみと一緒に眠っているような感覚を味わえること、等の特徴がある。
【００５０】
請求項４の発明は、請求項１又は請求項２に記載のぬいぐるみを、動物のぬいぐるみとしたことを特徴としたぬいぐるみ付き枕カバーである。
【００５１】
従って、請求項４は、子供が喜ぶぬいぐるみ付き枕カバーにできること、親子の使用の際には、子供のあやしものとして利用できること、また安心感を与え得ること、等の特徴がある。
【００５２】
請求項５の発明は、請求項３に記載の枕カバー部の一部に、クッション性の膨出部を形成したことを特徴としたぬいぐるみ付き枕カバーである。
【００５３】
従って、請求項５は、枕としての機能を十分に達成でき、快適な睡眠が達成できる特徴がある。
【図面の簡単な説明】
【図１】本発明のぬいぐるみ付き枕カバーの一例を示す斜視図
【図２】図１の裏面図
【図３】図１の断面図
【図４】図１の平面図
【図５】本発明の他の一例を示す平面図
【図６】本発明のその他の一例を示す平面図
【図７】本発明の更にその他の一例を示す平面図
【図８】本発明の更にまたその他の一例を示す平面図
【図９】本発明の枕カバー部内にぬいぐるみを収容した状態の一例を示す図
【図１０】本発明の使用状態の一例を示す図
【図１１】本発明の使用状態の他の一例を示す図
【符号の説明】
１        枕カバー
２        枕素材
３        枕カバー部
３０        開閉口
３１        止め具
３２        膨出部
４        ぬいぐるみ
４１        胴体部
４２        手
４３        足
４４        耳
４５        ひれ
【図１】
2004305418.tif 000003
【図２】
2004305418.tif 000004
【図３】
2004305418.tif 000005
【図４】
2004305418.tif 000006
【図５】
2004305418.tif 000007
【図６】
2004305418.tif 000008
【図７】
2004305418.tif 000009
【図８】
2004305418.tif 000010
【図９】
2004305418.tif 000011
【図１０】
2004305418.tif 000012
【図１１】
2004305418.tif 000013